(57)【要約】    【課題】  メンテナンスを簡素化しつつ除菌効果を高める。    【解決手段】  金属イオンを用いて水を除菌する水除菌装置１であって、ケース本体２と、その内部に設けられ金属イオンを溶出する金属粒体３を収納する通水性のカゴ状体４と、このカゴ状体４を運動させ、収納する前記金属粒体３が互いに衝合する衝合運動を生じさせる駆動手段５とを含むことを特徴とする。【選択図】  図１
2005040737.tif 000002
【特許請求の範囲】
【請求項１】
金属イオンを用いて水を除菌する水除菌装置であって、
ケース本体と、その内部に設けられ金属イオンを溶出する金属粒体を収納する通水性のカゴ状体と、
このカゴ状体を運動させ、収納する前記金属粒体が互いに衝合する衝合運動を生じさせる駆動手段とを含むことを特徴とする水除菌装置。
【請求項２】
前記ケース本体は、水入口と、水出口とを有する筒状をなし、かつ前記カゴ状体は該ケース本体内で運動可能に支持されるとともに、前記水入口から水出口までを流れる水流路の少なくとも一部に、前記金属粒体を浸漬させることを特徴とする請求項１記載の水除菌装置。
【請求項３】
前記カゴ状体は、ケース本体の中心軸方向にのびかつ該ケース中心軸と同芯にかつ受け具を介して回転自在に配置されることを特徴とする請求項１又は２記載の水除菌装置。
【請求項４】
前記カゴ状体は、ケース本体の中心軸方向にのびかつ該ケース中心軸と平行に受け具を介して公転又は回転可能に装着される複数本の副円筒カゴを含むことを特徴とする請求項１又は２記載の水除菌装置。
【請求項５】
前記カゴ状体は、その軸心を、ケース本体の軸心と直交させて配置されることを特徴とする請求項１又は２記載の水除菌装置。
【請求項６】
前記カゴ状体は、内部が複数室に区分されかつ各室に前記金属粒体を収納することを特徴とする請求項１〜５のいずれかに記載の水除菌装置。
【請求項７】
前記駆動手段は、ケース本体内部の水流により前記カゴ状体を回転させるスクリューを含む翼体であることを特徴とする請求項１〜６のいずれかに記載の水除菌装置。
【請求項８】
前記駆動手段は、ケース本体内部の水を吸引して前記翼体に向けて吐出するポンプ手段を含むことを特徴とする請求項７に記載の水除菌装置。
【発明の詳細な説明】
【技術分野】
【０００１】
本発明は、例えば工業用水、空調管の循環水、温泉、２４時間風呂などの広範囲の水の除菌に適用可能な水除菌装置に関する。
【背景技術】
【０００２】
工業用水、空調管の循環水、温泉、２４時間風呂などでは、大量の水（なお「水」には加温された「湯」も当然に含まれる。）が使用される。このため、一部の水を循環させて用いることが多い。このような場合、水の中に細菌が繁殖しやすく、とりわけレジオネラ菌の繁殖は人体に感染症等を引き起こす問題がある。従って、従来からこのような水に対する除菌が行われている。一般に水の除菌には、薬剤、とりわけ塩素を加える方法や、水を―旦高温に加熱する加熱殺菌などの方法が用いられている。
【発明の開示】
【発明が解決しようとする課題】
【０００３】
しかしながら、塩素等の薬剤を用いる除菌方法では、除菌能力を高めるためには塩素の投入量を増す必要があるが、法で定められた残留塩素濃度を維持するためには投入量を増やすにも限界がある。また塩素は、殺菌効果の持続性に劣る。従って、該殺菌効果を持続させるためには常時塩素濃度をコントロールする必要がある。これは多くの管理コストと手間を必要とする。さらに、塩素は配管などの腐食を招きやすいという欠点もある。
【０００４】
他方、後者のものでは、多くの水を利用する環境では、加熱のためのランニングコストが大となり実用的ではない。
【０００５】
本発明は、以上のような実情に鑑み案出なされたもので、管理コストや手間を削減し能率良く水の除菌効果を得ることができる水除菌装置を提供することを目的としている。
【課題を解決するための手段】
【０００６】
本発明のうち請求項１記載の発明は、金属イオンを用いて水を除菌する水除菌装置であって、ケース本体と、その内部に設けられ金属イオンを溶出する金属粒体を収納する通水性のカゴ状体と、このカゴ状体を運動させ、収納する前記金属粒体が互いに衝合する衝合運動を生じさせる駆動手段とを含むことを特徴としている。
【０００７】
また請求項２記載の発明は、前記ケース本体は、水入口と、水出口とを有する筒状をなし、かつ前記カゴ状体は該ケース本体内で運動可能に支持されるとともに、前記水入口から水出口までを流れる水流路の少なくとも一部に、前記金属粒体を浸漬させることを特徴とする請求項１記載の水除菌装置である。
【０００８】
また請求項３記載の発明は、前記カゴ状体は、ケース本体の中心軸方向にのびかつ該ケース中心軸と同芯にかつ受け具を介して回転自在に配置されることを特徴とする請求項１又は２記載の水除菌装置である。
【０００９】
また請求項４記載の発明は、前記カゴ状体は、ケース本体の中心軸方向にのびかつ該ケース中心軸と平行に受け具を介して公転又は回転可能に装着される複数本の副円筒カゴを含むことを特徴とする請求項１又は２記載の水除菌装置である。
【００１０】
また請求項５記載の発明は、前記カゴ状体は、その軸心を、ケース本体の軸心と直交させて配置されることを特徴とする請求項１又は２記載の水除菌装置である。
【００１１】
また請求項６記載の発明は、前記カゴ状体は、内部が複数室に区分されかつ各室に前記金属粒体を収納することを特徴とする請求項１〜５のいずれかに記載の水除菌装置である。
【００１２】
また請求項７記載の発明は、前記駆動手段は、ケース本体内部の水流により前記カゴ状体を回転させるスクリューを含む翼体であることを特徴とする請求項１〜６のいずれかに記載の水除菌装置である。
【００１３】
また請求項８記載の発明は、前記駆動手段は、ケース本体内部の水を吸引して前記翼体に向けて吐出するポンプ手段を含むことを特徴とする請求項１〜７のいずれかに記載の水除菌装置である。
【発明の効果】
【００１４】
本発明の水除菌装置では、カゴ状体に収納された金属粒体は、水と接触することにより水中に金属イオンが溶出する。各種の金属イオン、例えば銀イオン、銅イオンなどは除菌ないし殺菌効果があるため、溶出された金属イオンが水中の細菌を死滅させ水を除菌しうる。またスライム等の発生を抑制しうる。
【００１５】
またカゴ状体は、駆動手段により運動させられ、これによりカゴ状体の中の金属粒体に互いに衝合する衝合運動が生じる。かかる衝合運動は、例えば金属粒体同士が接触摩耗し、これに伴ってイオン量の溶出量を増大させる。のみならず、該金属粒体の表面への汚物等の付着を抑制し、或いは既に表面に付着した汚物を剥離させることにより、金属粒体の表面を常に清浄に保つことができる。これにより、金属イオンの溶出量が時間の経過とともに低減するのも防止できる。従って、本発明の水除菌装置は、取付後の管理コストを大幅に削減しつつ効率良い水の除菌を可能とする。
【００１６】
また、水が循環するシステムの中に本発明の水除菌装置を組み入れた場合、水中に溶出した金属イオンは水の流れとともに配管の各所に分散して滞留し、それぞれの場所において殺菌ないし除菌作用を発揮する。従って、本発明の水除菌装置を長期に亘って使用すればするほど配管経路の広い範囲でかつ高い除菌作用を発揮しうる。さらに、本発明によって除菌された水は、金属イオンを含む金属イオン水とするため、殺菌効果を有し、例えば医療関係等の着衣、清掃具などの殺菌剤としても用いることができる。従って、本発明の水除菌装置は、殺菌水の製造装置としても利用できる。
【００１７】
また請求項２記載の発明のように、カゴ状体を内部に収容したケース本体は、水入口と、水出口とを有する筒状で構成した場合、既設配管等の一部を取り除くことによって、容易にその部分に介在させて取り付けることができる。またカゴ状体は該ケース本体内で運動可能に支持されるとともに、前記水入口から水出口までを流れる水流路の少なくとも一部に、前記金属粒体を浸漬させることによって、ケース本体内の水に金属イオンを確実に溶出させ得る。
【００１８】
また請求項３記載の発明のように、前記カゴ状体は、ケース本体の中心軸方向にのびかつ該ケース中心軸と同芯にかつ受け具を介して回転自在に配置されることができるし、また請求項４記載の発明のように、ケース本体の中心軸方向にのびかつ該ケース中心軸と平行に受け具を介して公転又は回転可能に装着される複数本の副円筒カゴを含むこと、さらには請求項５記載の発明のように、カゴ状体の軸心を、ケース本体の軸心と直交させて配置することもできる。
【００１９】
また請求項６記載の発明のように、前記カゴ状体の内部を複数室に区分した場合には、例えば夫々の金属粒体の収容空間を減じ、該金属粒体の衝合運動の機会をより一層高めるのに役立つ。
【００２０】
また請求項７記載の発明のように、駆動手段を、ケース本体内部の水流を利用して前記カゴ状体を回転させるスクリューを含む翼体とすることにより、電動機等の外力を用いることなく低コストでカゴ状体を継続させて運動させることができる。
【００２１】
また請求項８記載の発明のように、前記駆動手段は、ケース本体内部の水を吸引して前記翼体に向けて吐出するポンプ手段を含むときには、より確実にカゴ状体を運動させ金属粒体の衝合運動をさらに促進することができる。
【発明を実施するための最良の形態】
【００２２】
以下、本発明の実施の一形態を図面に基づき説明する。
【００２３】
図１は、本実施形態の水除菌装置１の断面図を示す。本実施形態の水除菌装置１は、ケース本体２と、該ケース本体２の内部に設けられ金属イオンを溶出する金属粒体３を収納した通水性のカゴ状体４と、このカゴ状体４を運動させ、収納する前記金属粒体３が互いに衝合する衝合運動を生じさせる駆動手段５とを含んで構成される。
【００２４】
前記ケース本体２は、例えば一端側に設けた水入口２ｉと、他端側に設けた水出口２ｏとを有した筒状で形成されており、内部に水が浸入しうる空間を持っている。水入口２ｉと、水出口２ｏとは、中央部に比して内径を絞られておりその端部にはフランジ６、６が一体に形成される。このフランジ６、６には、それぞれ継手配管Ｏ１、Ｏ２のフランジがパッキンＰ１を介して水密状態で接続される。これにより、継手配管Ｏ１から送給されてきた水は、水入口２ｉからケース本体２の内部を通り水出口２ｏから外部配管Ｏ２へと排出される。
【００２５】
本例のケース本体２は、前記水入口２ｉを一体に有した基部２Ａと、水出口２ｏを一体に有した副部２Ｂとをそれぞれフランジ７Ａ、７Ｂからなる継手７で分離可能に接続した組立体として構成される。従って、この継手７を取り外すことによりケース本体２の内部メンテナンスを容易に行うことができる。継手７は、ケース本体２の軸方向において水出口２ｏ側に偏寄させた態様が例示されるが、特にこれに限定されるわけではない。またケース本体２は、各種の材料にて形成することができる。好ましくは金属材料、とりわけ耐食性に優れたＳＵＳ３０４などが好適であるが、その他の金属材料の他、樹脂材料などを用いることもできる。
【００２６】
本実施形態のカゴ状体４は、図２、図３に拡大して示すように、略円筒状の側壁部４Ａと、該側壁部４Ａの両端部に固着された蓋状部４Ｂ、４Ｂとを含み、前記ケース本体２の中心軸方向にのびる円筒状のカゴ体として形成される。そしてカゴ状体４は、その内部に複数個の金属粒体３を移動可能に収納しうる収納空間を具えている。
【００２７】
前記側壁部４Ａは、その外部と内部とで水の行き来を可能とする通水性の材料で形成される。これにより、カゴ状体４に収納された金属粒体３を、ケース本体２内部に流入した水に浸漬させることができる。水に浸漬された金属粒体３は金属イオンを水中へと溶出させ、該金属イオンにより水中の細菌を死滅させる。側壁部４Ａの材料は特に限定されないが、例えばエクスパンドメタルやパンチングメタルなどを網状の鋼材を円筒形状に形成したものが好適である。なおこの際、側壁部４Ａの網目は金属粒体３よりも小さいものが選択されるのは言うまでもない。
【００２８】
蓋状部４Ｂは、前記側壁部４Ａの両端部の開口にそれぞれ嵌挿されかつ例えば溶接等により側壁部４Ａに一体に固着されている。また蓋状部４Ｂは、図３に示すように、本例では中央の開口部１０と、その周囲に形成された複数個の側の開口部９とを有した円板状をなすものが例示される。側の開口部９は、例えば側壁部４Ａと同様の通水材料からなる網状の覆い体で被覆される。これにより金属粒体３をカゴ状体４の内部に保持しつつ側の開口部９を介して水の流出入を可能とする。中央の開口部１０については、取付軸部１１（後述）によって閉塞される。
【００２９】
また本実施形態のカゴ状体４は、内部に設けた仕切り板１２によって、その収納空間を複数の室に区分されたものが例示される。該仕切り板１２は、図３及び図２のＡ−Ａ断面である図４に示すように、断面十字状をなすことにより、本例ではカゴ状体４の内部を略均等に４つの室に区分したものが例示される。該仕切り板１２は、側壁部４Ａ又は蓋状部４Ｂのいずれかに固着されるのが望ましいが、例えば自由状態でカゴ状体４の内部に収容することもできる。また仕切り板１２は、各区分された室間で水の行き来が可能となるよう通水性を有する網状部材で形成されるのが好ましい。
【００３０】
なおカゴ状体４の中を複数室に区分する場合、例えば図７（Ａ）に示すように、他の仕切り板１２を用いて略３等分とする態様の他、同図（Ｂ）のように、内部に１以上の別の円筒状のカゴ体１７を取り付けて区分することもできる。さらに図７（Ｃ）に示すように、側壁部４Ａと略同芯の小径の内筒１８と、この内筒１８から放射状にのびる１以上の仕切り片１２…とを用いて円柱状及び扇状の複数室を形成することもできる。
【００３１】
前記取付軸部１１は、本実施形態では、フランジ状の基部１１ａと、該基部１１ａの中心部からから突出した軸部１１ｂとで形成されたものが例示される。フランジ部１１ａについては、蓋状部４Ｂの側の開口部９に実質的に整一する形状の開口部１３が形成される。また取付軸部１１は、本例ではボルトによって前記蓋状部４Ｂに取り外し自在に固着される。これにより、カゴ状体４の両側に、前記取付軸部１１ｂを突出させるとともに、開口部１３を介してカゴ状体４内に水を浸入させることが可能となる。
【００３２】
またカゴ状体４は、第１、第２の受け具１４、１５を介して前記ケース本体２の内部で移動可能に取付られている。第１の受け具１４は、図１、図３に示すように、ケース本体２の水入口２ｉ側でかつその内周面に固着された円板状の支持壁部１４ａと、該支持壁部１４ａの中心部に本例ではボルトにより固着された軸受け筒１４ｂとで構成されたものが例示される。前記支持壁部１４ａは、本例ではケース本体２の内周面に設けた段差部２ｊによっても水入口２ｉ側への移動が拘束される。また支持壁部１４ａは、軸受け筒１４ｂの回りに開口部１４ｃが形成されており、その内、外で水の通過を可能としている。この開口部１４ｃには、例えば網目状の覆い体を設け、汚物除去用のフィルタとして機能させることもできる。また軸受け筒１４ｂには、前記カゴ状体４の一方の取付軸部１１の軸部１１ｂが遊嵌挿入され回動可能に支持される支持孔１４ｄが形成されている。
【００３３】
また図１に示すように、第２の受け具１５も、第１の受け具１４とほぼ同じ構成を有し、円板状の支持壁部１５ａと、支持孔１５ｄを有する軸受け筒１５ｂとを含んで構成される。なお第２の受け具１５の支持壁部１５ａは、その半径方向の外縁部が前記フランジ７Ａ、７Ｂ間で狭着されることによりケース本体２に固着されている。図示していないが、この支持壁部１５ａにも開口部が設けられ、その内、外で水の通過を可能としている。また軸受け筒１５ｂは、前記支持孔１５ｄでカゴ状体４の他方の取付軸部１１の軸部１１ｂを回動可能に支持している。
【００３４】
このようなカゴ状体４は、ケース本体２の中心軸方向にのびるとともにケース中心軸ＣＬと同芯に配置される。またカゴ状体４は、その両側の前記軸部１１ｂを第１、第２受け具１４、１５で遊嵌支持されるため、ケース本体２の中で運動（この例では前記ケース中心軸ＣＬの回りに回転運動）できる。
【００３５】
前記金属粒体３は、本実施形態では銀材料を含むものが例示され、カゴ状体４の区分された各室にそれぞれ複数個が収納される。従って、水中に金属イオンとしては銀イオンを溶出させ得る。一般に、水の殺菌に必要な銀イオンの量は、０．１（mg／リットル）で十分と考えられている。他方、水１００ｇに対する水温摂氏２５度の場合の銀の溶解度は２．８×１０-5であり（「日本化学学会編」改訂４版化学便覧  基礎編II、水に対する単体および無機化合物の溶解度）、殺菌に必要な量の３倍以上の溶出が可能なことから、かかる銀イオンによって確実な殺菌効果が期待できる。また銀イオンの溶解度は水温とともに上昇するため、２４時間風呂や温泉などにおいては銀イオンの溶出量がさらに増し、より確実な殺菌効果を期待しうる。
【００３６】
銀イオンについての効能ないし安全性についてまとめると次の通りである。
＜効能＞
ａ）レジオネラ菌、大腸菌、Ｏ−１５７病原性大腸菌、抗酸菌( 老人性結核菌) 、MRSA、一般病原菌（耐性黄色ブドウ球菌）などの殺菌効果がある
ｂ）塩素系薬剤のような刺激臭、肌荒れ、異臭味が一切なく、人体に優しいにもかかわらず、優れた殺菌効果がある
ｃ）配管、機器設備品、その他の建材、サッシなどの腐食の心配がない
ｄ）殺菌性能に対する水温の影響が全くないので、蒸発、変質が発生せず、殺菌効果を長期に亘って持続できる
ｅ）塩素系殺菌剤に比べて１０倍の殺菌効果があるので、微量な銀イオンで容易に殺菌でき、維持管理費の低減ができる
ｆ）日光で分解されないので殺菌効果が非常に長く持続する
ｇ）タンパク質沈殿材として知られており、その働きで細菌の細胞の活動力を奪うと考えられている
＜安全性＞
また、銀イオンの安全性をまとめると次の通りである。
【００３７】
イ）食器や医療器具などの殺菌を必要とするものなどに広く使用されている
ロ）歯の治療材料などに使用されている
ハ）電機用品の乙種として認定され、医療用物質生成機器の基準に適応している
ニ）薬品のような不快な臭いや刺激が無く、取り扱い上の危険性がない
ホ）水質を変化させない
図５には、金属粒体３の形状の一例を示し、本例では（Ａ）の球状体に形成されたものが例示される。ただし、これ以外にも他の形状、例えば円柱状（同図（Ｂ））、リング状（同図（Ｃ））、表面に多数の凸部を設けた金平糖状（同図（Ｄ））、棒状ないし繊維状（同図（Ｅ））、直方体ないし立方体状（同図（Ｆ））、及び／又は板状（同図（Ｇ））など種々のものが採用でき、これらを混在させても良い。またいずれの態様においても内部を中空状としても良い。このように、金属粒体３の具体的形状は、特に限定されるものではなく種々変形することができる。
【００３８】
また金属粒体３は、本例では全てが銀で形成されたものを示すが、銀イオンを溶出可能であれば他の状態で形成することが差し支えない。例えば、非銀製材料に銀メッキを施して構成したものでも良い。この態様では銀イオンの溶出寿命は本実施形態のものに比べれば劣るものの、一定期間、確実に銀イオンを溶出させることができる。また他の形態として、非銀製材料に銀を蒸着させたものでも良い。
【００３９】
また本実施形態では、金属粒体３として銀イオンを溶出しうる銀材料を用いているが、これに代えて又はこれとともに他の金属イオンを溶出しうる材料を用いることができる。例えば銅、チタン、酸化チタン、金、テニウム、ロジウム、パラジウム、オスミウム、イリジウム、プラチナ、ニッケル、亜鉛、クロム、コバルト、すず、鉛、アルミニウム、白金などの金属イオンを溶出しうる材料を用いることもできる。
【００４０】
また金属粒体３の大きさは、特に限定はされないが、例えば最大粒径（球状の場合には直径）が３〜２０mm、より好ましくは５〜１５mm程度が望ましい。前記粒径が大きすぎると、カゴ状体４の回転運動や衝合運動が低下する傾向があり、逆に小さすぎても、金属イオンの溶出量が低下したり又は溶出時間が短くなる傾向があるため好ましくない。またカゴ状体４に収納される金属粒体３は、同じ大きさのものを用いる必要はなく、異なる粒径のものを混在させることもできる。また各室に収納される金属粒体３の量は、均等としても良いが、異ならせることもできる。この場合、各室の金属粒体３の重量のアンバランスによって、カゴ状体４の運動を促進させることもできる。
【００４１】
前記駆動手段５は、ケース本体２の内部の水流により前記カゴ状体４を回転させる翼体からなり、本例ではスクリューＳで構成されたものが例示される。該スクリューＳは、カゴ状体４の側壁部４Ａの外周面に固着され、かつ該側壁部４Ａの軸方向に螺旋状でのびている。またスクリューＳは、ケース本体２の内周面と干渉しないようその翼高さなどが設定される。本実施形態では、スクリューＳをカゴ状体４の外周面に設けた例を示すが、図７（Ｃ）のようなカゴ状体４では、内筒部１８の内部の空間に設けることもできる。また駆動手段５を形成する翼体としては、水流を受けてカゴ状体４を回転させるものであれば、この例のスクュリューＳに限定されるものではなく、例えば図８に示すようにプロペラＰでも良い。
【００４２】
以上のような水除菌装置１は、水入口２ｉからケース本体２の内部に水が流入すると、カゴ状体４の内部の金属粒体３がケース本体２の中の水に浸漬され、該水中に銀イオンを溶出し、該銀イオンが水中の細菌を死滅させまたスライムの発生を抑制する。またケース本体２の水流を駆動手段５たるスクリューＳが受け、カゴ状体４を前記ケース中心軸ＣＬの回りに回転運動させる。カゴ状体４の回転運動により、カゴ状体４の中の金属粒体３が互いに衝合する衝合運動が積極的に行われる。加えて、カゴ状体４の回転運動により、金属粒体３の表面は、より積極的にカゴ状体４の表面（網状）とも接触する。このような衝合運動等は、金属粒体３、３同士が接触摩耗し、これに伴って銀イオン量の溶出量を増大させる。
【００４３】
また、単に金属粒体３を水中に浸漬させるだけでは、時間の経過とともに該金属粒体３の表面に水中の汚物等が付着して被膜を形成し、金属イオンの溶出効果が低下しやすい。これに対して本実施形態では、上述のような衝合運動等によって、金属粒体３の表面に付着した汚物等による被膜を剥離させ、金属粒体３の表面を常に正常に保つことができる。これにより、金属イオンの溶出量が時間の経過とともに低減するのも防止できる。従って、本発明の水除菌装置１は、取付後のメンテナンスに要する手間を減じ、管理コストを大幅に削減しつつ水の除菌を可能としうる。
【００４４】
また使用につれて、金属粒体３は摩滅し小さくなり、銀イオンの溶出量も低下する。この場合には、例えばケース本体２への水の流入を遮断し、カゴ状体４を交換等すれば良い。具体的には、継手７を締め付けるボルトを取り外し、ケース本体２を、基部２Ａと副部２Ｂとに分解する。これにより第２の受け具１５を基部２Ａから取り出しでき、ひいては、カゴ状体４を取付軸部１１とともに基部２Ａの中から容易に取り外すことができる。そして、カゴ状体４からその両端部の取付軸部１１を取り外し、予め新しい金属粒体３を収納したカゴ状体４の部分だけを取り替えれば良い。そして、交換されたカゴ状体４は、取付軸部１１とともに再びケース本体２Ａの中に納められた後、第２の受け具１５をケース本体２Ａにセットし、ケース本体２Ｂをボルトにて固着することで組立てうる。このように、本実施形態の水除菌装置１は、金属粒体３の保守交換作業、メンテナンス等を容易に行うことができる。なお必要に応じて、カゴ状体４の内部の金属粒体３だけを交換することも勿論可能である。
【００４５】
図６には、本発明の具体的な設置例を示す。
【００４６】
この実施形態では、水除菌装置１がビル等の空調設備２０に用いられる冷・温水の除菌に使用される例を示す。冷・温水の循環経路内の適所の配管に本実施形態の水除菌装置１が取り付けられ、該循環経路の一部を構成している。このようなシステムの中に本発明の水除菌装置１を組み入れた場合、水中に溶出した銀イオンは水の流れとともに配管の各所に分散して堆積し、それぞれの場所において半永久的に殺菌ないし除菌作用を発揮する。従って、本発明の水除菌装置１を長期に亘って使用すればするほど銀イオンが広範囲に蓄積されるため、循環経路の広い範囲で高い除菌作用を発揮しうる。
【００４７】
図９には、本発明の他の実施形態を示す。
【００４８】
この実施形態では、カゴ状体４は、ケース本体２の前記中心軸ＣＬ方向にのびる複数本（本例では３本）の副円筒カゴ２１、２２、２３を含むものが例示される。各副円筒カゴ２１ないし２３は、網状の仕切り板２５によって軸方向に複数個の室が区分されたものを示す。これは、ケース本体２の内部を流れる水流によって金属粒体３が、下流側に偏って密集するのを防ぐのに役立つ。また副円筒カゴ２１ないし２３は、取付具２６を介して支持軸２７の回りに固着される。取付具２６は、円環状のボス部２６ａと、このボス部２６ａの外周部から等角度ピッチで放射状にのびる３つの取付片２６ｂとを有しており、前記ボス部２６ａが支持軸２７に固着されている。
【００４９】
本例では支持軸２７の軸方向に距離を隔てて一対の取付具２６が設けられる。前記取付具２６の取付片２６ｂの先端には、それぞれ副円筒カゴ２１ないし２３が取り付けられている。この際、副円筒カゴ２１ないし２３は、取付片２６ｂに対して固定されていても良く、また回動自在に枢支、すなわち自転可能に枢支されても良い。また支持軸２７には、駆動手段５としてのスクリューＳが形成されている。なおスクリューＳに代えてまたスクリューＳとともに、プロペラＰを支持軸２７の一端に取り付けることもできる。そして、支持軸２７の両端部は、それぞれ前記第１、第２の受け具１４、１５で回動自在に支持され、水流を受けて回転しうる。
【００５０】
図１０には、本発明のさらに他の実施形態を示す。
【００５１】
この実施形態では、カゴ状体４は、その軸心を、ケース本体２の軸心と直交させて配置されたものが例示される。ここで言う「ケース本体の軸心」とは、水流の流れる方向とし、この例ではケース本体２の軸心が矢印Ａで表され、カゴ状体４の軸心は紙面に直角である。複数個のカゴ状体４は、軸受け片３０によってその両側を回動自在に支持されており、この軸受け片３０はケース本体２に固定（図示省略）されている。このような水除菌装置１は、自重によりカゴ状体４の底部に密集した金属粒体３に水流が衝突し、カゴ状体４が小さい角度で揺動運動をなし得る。このようなカゴ状体４の運動により金属粒体３は衝合運動が得られる。
【００５２】
図１１には、さらに本発明の他の実施形態を示す。
【００５３】
この実施形態では、駆動手段５は、ケース本体２の内部の水を吸引して内部で前記翼体（スクリューＳ）に向けて吐出するポンプ手段ＰＭを含むものを例示している。このような態様では、カゴ状体４をより効果的に回転運動させ、金属粒体３のイオン溶出量の増大に役立つ。なお駆動手段としては、外部に設けた電動機などを用いてカゴ状体４を直接運動させるものでも良い。
【図面の簡単な説明】
【００５４】
【図１】本発明の実施形態を示す断面図である。
【図２】カゴ状体の側面図である。
【図３】図１の部分斜視図である。
【図４】図１のＡ−Ａ断面図である。
【図５】（Ａ）〜（Ｇ）は、金属粒体の形状の一例を示す線図である。
【図６】本実施形態の水除菌装置が適用されるシステムの一例を示す概念図である。
【図７】（Ａ）〜（Ｃ）はカゴ状体の他の実施形態を示す。
【図８】翼体の他の形態を示すカゴ状体の断面図である。
【図９】本発明の他の実施形態を示す部分斜視図である。
【図１０】本発明の他の実施形態を示す断面略図である。
【図１１】本発明の他の実施形態を示す断面略図である。
【符号の説明】
【００５５】
１  水除菌装置
２  ケース本体
２ｉ  水入口
２ｏ  水出口
３  金属粒体
４  カゴ状体
４Ａ  側壁部
４Ｂ  蓋状部
５  駆動手段
Ｓ  スクリュー
【図１】
2005040737.tif 000003
【図２】
2005040737.tif 000004
【図３】
2005040737.tif 000005
【図４】
2005040737.tif 000006
【図５】
2005040737.tif 000007
【図６】
2005040737.tif 000008
【図７】
2005040737.tif 000009
【図８】
2005040737.tif 000010
【図９】
2005040737.tif 000011
【図１０】
2005040737.tif 000012
【図１１】
2005040737.tif 000013